(57)【要約】【課題】  角部に当てるだけで角アールが長さを測ることができるＲゲージを提供する。【解決手段】  略直交する２つの面１１，１２の角部に形成される角Ｒ１３を計測するものであって、２つの面１１、１２に接する第１固定部２０及び第２固定部２１と、前記角Ｒ１３の径方向Ｐ１に移動可能に設けられる可動部２２と、この可動部２２を角Ｒ１３の円周面１４に接するように作用するバネ部材２３と、可動部２２の移動量を計るメモリ部２４とを備える。【選択図】  図１
2011075350.tif 000002
【特許請求の範囲】
【請求項１】
略直交する２つの面の角部に形成されるＲを計測するものであって、
前記２つの面に接する第１固定部及び第２固定部と、前記Ｒの径方向に移動可能に設けられる可動部と、前記可動部を前記Ｒの円周面に接するように作用するバネ部材と、前記可動部の移動量を計るメモリ部とを備えている
ことを特徴とするＲゲージ。
【請求項２】
略直交する２つの面の角部に形成されるＲを計測するものであって、
前記２つの面に接する第１固定部及び第２固定部と、前記Ｒの径方向に形成される摺動溝と、この摺動溝に移動可能に設けられる可動部と、この可動部に回転可能に取り付けられるアーム部と、前記可動部を前記Ｒの円周面に接するように作用するバネ部材と、前記可動部の移動量を計るメモリ部とを備え、
前記アーム部は、一端が固定軸部に回転可能に取り付けられ、他端の自由端部がメモリ部に接し、この固定軸部と前記自由端部との間に前記可動部が回転可能に取り付けられる
ことを特徴とするＲゲージ。
【請求項３】
略直交する２つの面の角部に形成されるＲを計測するものであって、
前記２つの面に接する第１固定部及び第２固定部と、一端が固定軸部に回転可能に取り付けられるアーム部と、このアーム部を前記Ｒの円周面に接するように作用するバネ部材と、前記アーム部の他端側の移動量を計るメモリ部とを備えている
ことを特徴とするＲゲージ。
【請求項４】
前記請求項１から３記載の何れかのＲゲージにおいて、
第１固定部と第２固定部とで形成する角度は直角より約５度大きく形成されている
ことを特徴とするＲゲージ。
【請求項５】
前記請求項２または３記載のＲゲージにおいて、
アーム部の固定軸部と対向する端部となる自由端部は屈曲しており、その屈曲の先端部が前記メモリ部とせっしている
ことを特徴とするＲゲージ。
【発明の詳細な説明】
【技術分野】
【０００１】
家具や電気製品などの角アール（角面取り寸法）を簡単に計測できるＲゲージに関するものである。
【背景技術】
【０００２】
家庭内で利用されるテーブルや電気製品などの角部は、安全性を考慮して、角アール（角面取り寸法）を形成したものが殆どである。従来から、この角部分の仕上げ処理には、アール毎に複数のゲージを用意し、作成するアールに対応するゲージを選択して、このゲージにより作成している。例えば、工場の加工現場では、直角Ｒゲージが使用されている。この直角Ｒゲージは、矩形状の板状部材の１つの角部に、中心角が90°の円弧状部を形成したものである。そして、この円弧状部の径Rが例えば１mmから10mm程度までの複数枚の直角Ｒゲージ１を束ねて利用するなどしていた。
【０００３】
しかしながら、テーブルなどの家具の角部を、この直角Ｒゲージで計ろうとすると、目安の１つの直角Ｒゲージを選択して計測し、合わなければ、他の直角Ｒゲージを順に選択して計らなければならない。
【０００４】
この課題を解決するために、従来技術においては、第１のゲージ板と第２のゲージ板とを回転自在に連結した構造のものが提案されている。この従来技術の２つのゲージ板は、円弧状の案内溝と複数のピンにより、両ゲージ板相互の固定点を外して連結してあり、両ゲージ板の端縁に、前記固定点を中心とする同一径の円弧状部をそれぞれ形成している。これら円弧状部と滑らかに繋がる直線状部を互いに反対側に形成している。
【０００５】
このＲゲージによれば、例えば工作物の加工すべきＲ部の中心角に応じて、円弧状部全体の実質的な中心角を調整できる。すなわち、第１のゲージ板と第２のゲージ板とを互いに回転させても、これら両ゲージ板の円弧状部は、両円弧状部の中心が両ゲージ板相互の固定点と一致しているとともに径が等しいために、同一円周上に位置し続ける。そして、ゲージ板の回転により、部分的に重なった両円弧状部全体の中心角が変化し、両円弧状部全体の両端にそれぞれ滑らかに繋がる両直線状部の互いになす角度が変化するものである。
【先行技術文献】
【特許文献】
【０００６】
【特許文献１】特開平６−１０９４０２号公報
【発明の概要】
【発明が解決しようとする課題】
【０００７】
前記従来技術によれば、多数のゲージの中から特定のゲージを選ばなければならなかったり、あるいは、２つのゲージ板を円弧状の案内溝に沿って移動させなければ、特定の角部のアールを計る事ができなく、手間がかかっていた。
【０００８】
そこで、この発明の目的とするところは、角部に当てるだけで角アールが長さを測ることができるＲゲージを提供することにある。
【課題を解決するための手段】
【０００９】
前記目的を達成するために、この発明に係るＲゲージは、略直交する２つの面の角部に形成されるＲを計測するものであって、前記２つの面に接する第１固定部及び第２固定部と、前記Ｒの径方向に移動可能に設けられる可動部と、前記可動部を前記Ｒの円周面に接するように作用するバネ部材と、前記可動部の移動量を計るメモリ部とを備えるようにする。
【００１０】
また、この発明に係る他のＲゲージは、略直交する２つの面の角部に形成されるＲを計測するものであって、前記２つの面に接する第１固定部及び第２固定部と、前記Ｒの径方向に形成される摺動溝と、この摺動溝に移動可能に設けられる可動部と、この可動部に回転可能に取り付けられるアーム部と、前記可動部を前記Ｒの円周面に接するように作用するバネ部材と、前記可動部の移動量を計るメモリ部とを備え、前記アーム部は、一端が固定軸部に回転可能に取り付けられ、他端の自由端部がメモリ部に接し、この固定軸部と前記自由端部との間に前記可動部が回転可能に取り付けられるようにする。
【００１１】
また、この発明に係る他のＲゲージは、略直交する２つの面の角部に形成されるＲを計測するものであって、前記２つの面に接する第１固定部及び第２固定部と、一端が固定軸部に回転可能に取り付けられるアーム部と、このアーム部を前記Ｒの円周面に接するように作用するバネ部材と、前記アーム部の他端側の移動量を計るメモリ部とを備えるようにする。
【発明の効果】
【００１２】
本発明によれば、第１固定部と第２固定部を計るべき対象物の２つの面に接するようにすると、バネ部材により可動部またはアーム部が、２つの面で形成されるＲの円周面に接するので、このＲの大きさにより可動部またはアーム部の移動量が変化するので、この移動量の変化をメモリ部で簡単に計ることができる。
【図面の簡単な説明】
【００１３】
【図１】第１実施例に係るＲゲージを示した構造概念図である。
【図２】第２の実施例に係るＲゲージの概略構造図である。
【図３】第２の実施例に係るＲゲージの部品構成図である。
【図４】第２実施例に係るＲゲージの外観図である。
【図５】第２の実施例に係るＲゲージの応用例を示す説明図である。
【図６】第３実施例に係るＲゲージの構造概念図である。
【図７】第４実施例に係るＲゲージの構造概念図である。
【発明を実施するための形態】
【００１４】
以下、図１から図７を参照して、この発明に係るＲゲージの実施例を具体的に説明する。ここで、図１は第１実施例に係るＲゲージを示し、図２から図５が第２実施例のＲゲージを示し、図６が第３実施例に係るＲゲージを示し、図７が第４実施例に係るＲゲージを示している。なお、同様な部位や矢印などは同一符号をもって示し、重複した説明を省略する。
【実施例１】
【００１５】
図１は、第１実施例に係るＲゲージを示した構造概念図である。この図１の概念図に基いて、この発明に係るＲゲージの概略構造を説明する。
【００１６】
符号１で総括的に示すのは第１実施例に係るＲゲージであり、略直交する２つの面１１、１２を備えた家具や電気製品などの対象物１０の角部に形成される角Ｒ（角面取り寸法）１３を計測するものである。このＲゲージ１は、対象物１０の２つの面１１、１２に接する第１固定部２０及び第２固定部２１と、前記角Ｒ１３の径方向Ｐ１に移動可能に設けられる可動部２２と、前記可動部２２を前記角Ｒ１３の円周面１４に接するように作用するバネ部材２３と、前記可動部２２の移動量を計るメモリ部２４とを備えている。
【００１７】
この実施例のＲゲージ１は、対象物１０の２つの面１１、１２を覆うようなＬ型の外観形状を備えている。第１固定部２０と第２固定部２１は、Ｌ型の内壁を構成し、例えば、第１固定部２０が一方の面１２と接し、第２固定部２１が他方の面１２と接するように直線状に形成される。この実施例では、第１固定部２０と第２固定部２１とで略直角を成すように形成される。
【００１８】
この構造によれば、直線状の第１固定部２０と第２固定部２１とが交わる角部Ｑ１は、対象物１０の２つの面１１、１２とが交わる仮想的な角部（Ｑ１）と一致することとなる。
【００１９】
ここで、この実施例では、第１固定部２０と第２固定部２１とを直線状に形成しているが、どちらか一方の固定部（２０または２１）を直線状とし、他の固定部（２０または２１）は直線状とする必要はない。
【００２０】
即ち、どちらか一方の固定部（２０または２１）が直線状であれば、この固定部と対象物１０の直線状の２つの面１１または１２の一方と接することにより、Ｒゲージ１の姿勢を対象物１０に対して固定することができる。そして、他の固定部（２０または２１）は、例えば先が尖っていても、その尖った点は、固定部の直線上に位置することとなるので、Ｒゲージ１を対象物１０に対して位置合わせすることができる。
【００２１】
可動部２２は、角Ｒ１３の中心点Ｑ２と角部Ｑ１とを結ぶ径方向Ｐ１に形成される摺動溝２５に沿って移動可能に取り付けられている。つまり、可動部２２は径方向Ｐ１に沿って移動可能に取り付けられている。そして、この実施例では、摺動溝２５の端部にもけられるバネ部材２３により、可動部２２の一端部２６が角Ｒ１３の円周面１４に常に押し当てられるように成っている。
【００２２】
したがって、角Ｒ１３の半径Ｒの大きさにより、可動部２２が摺動溝２５内を移動することとなる。つまり、可動部２２の摺動溝２５内での位置と、角Ｒ１３の半径Ｒの大きさとの関係をメモリ部２４に反映させれば、角Ｒ１３の半径Ｒの大きさを簡単に測定することができる。
【００２３】
この実施例では、可動部２２に計測針部２７を設け、この計測針部２７の端部をＲゲージ１の筺体の表面に設けた溝状のメモリ部２４まで伸ばして設けている。したがって、可動部２２の移動量がメモリ部２４で認識することができる。
【００２４】
なお、この実施例では、筺体の表面に設けた溝状のメモリ部２４まで伸ばして設けているが、これに限定されるものではない。例えば、可動部２２の移動量を視認できる図示しない窓を摺動溝２５に沿って形成し、この窓にメモリ部２４を設けることでもよい。
【００２５】
また、この実施例に係るＲゲージ１は、例えば、親指と一刺し指でＲゲージ１の両側面を保持して対象物１０の角Ｒ１３に押し当てることができる。そして、摺動溝２５上に可動部２２の移動を固定するロック機構２８を設けている。これにより、測定時に、このロック機構２８を操作して可動部２２を固定し、この固定状態でメモリ部２４を見やすい位置にもってきて数値を認識することができるので、利用者に無理な姿勢を強いることがない。
【００２６】
なお、この実施例の摺動溝２５は、角Ｒ１３の中心点Ｑ２と角部Ｑ１とを結ぶ径方向Ｐ１に沿って形成しているが、これに限定されるものではない。即ち、角Ｒ１３の円周面１４は、１／４の円弧の大きさを備えている。したがって、少なくとも可動部の一端部２６が１／４の円弧の範囲で円周面１４と接するように摺動溝２５を設けるようにすればよい。
【００２７】
このように、この第１実施例に係るＲゲージは、シンプルな構造で、角Ｒ（角面取り寸法）が測定できるツールであり、家具などの仕上げ作業の目安やケガ予防のチェックなどに活用することができる。
【００２８】
以下、図２から図７を参照して、第１実施例に係るＲゲージの具体的な応用例を更に詳細に説明する。
【実施例２】
【００２９】
図２から図５は第２の実施例に係るＲゲージを示している。ここで、図２は第２の実施例に係るＲゲージの概略構造図である。図３は第２の実施例に係るＲゲージの部品構成図である。図４は第２実施例に係るＲゲージの外観図である。図５は第２の実施例に係るＲゲージの応用例を示す説明図である。
【００３０】
先ず、図２を参照して、第２実施例に係るＲゲージの概略構造を説明する。ここで、図２（ａ）図は全体の概略構造図、（ｂ）図は可動部の一端部と円周面の拡大図である。
【００３１】
図２において、この第２実施例に係るＲゲージ２は、一端が回転軸（固定軸部３０）に固定され、他端（自由端部３１）が指針となるアーム部２９を備え、このアーム部２９は、その移動路が直線運動をするピストン（可動部２２）に回転軸Ｑ３で接続され、ピストン（可動部２２）が対象物１０に当たる距離（位置）によって角Ｒ１３の丸みを測定できるものである。
【００３２】
即ち、この第２実施例に係る他のＲゲージ２は、略直交する２つの面１１、１２の角部に形成される角Ｒ１３を計測するものであって、前記２つの面１１、１２に接する第１固定部２０及び第２固定部２１と、角Ｒ１３の径方向Ｐ１に形成される摺動溝２５と、この摺動溝２５に移動可能に設けられる可動部２２と、この可動部２２に回転可能に取り付けられるアーム部２９と、前記可動部２２を角Ｒ１３の円周面１４に接するように作用するバネ部材２３と、前記可動部２２の移動量を計るメモリ部２４とを備えている。更に、アーム部２９は、一端が固定軸部３０に回転可能に取り付けられ、他端の自由端部３１がメモリ部２４に接し、この固定軸部３０と自由端部３１との間に設けられる回転軸Ｑ３に可動部２２が回転可能に取り付けられている。
【００３３】
この実施例のＲゲージ２もまた、対象物１０の２つの面１１、１２を覆うようなＬ型の外観形状を備えている。第１固定部２０と第２固定部２１は、Ｌ型の内壁を構成し、例えば、第１固定部２０が一方の面１１と接し、第２固定部２１が他方の面１２と接するように直線状に形成される。この実施例では、第１固定部２０と第２固定部２１とで略直角を成すように形成される。
【００３４】
この構造によれば、直線状の第１固定部２０と第２固定部２１とが交わる角部Ｑ１は、対象物１０の２つの面１１、１２とが交わる仮想的な角部（Ｑ１）と一致することとなる。
【００３５】
なお、第１固定部２０と第２固定部２１の一方を直線状としなくともよいが、この点については第１実施例と同様につき省略する。
【００３６】
可動部２２は、角Ｒ１３の中心点Ｑ２と角部Ｑ１とを結ぶ径方向Ｐ１に形成される摺動溝２５に沿って移動可能に取り付けられている。つまり、可動部２２は径方向Ｐ１に沿って移動可能に取り付けられている。
【００３７】
アーム部２９は、その長手方向Ｐ２を径方向Ｐ１と略直交する位置に、その一端を固定軸部３０を介して回転可能に取り付けられ、他の一端（自由端部３１）はメモリ部２４から端部が視認可能なように設けられる。そして、可動部２２は、固定軸部３０と自由端部３１の間に設けられる回転軸Ｑ３に回転可能に取り付けられる。
【００３８】
また、アーム部２９は、隣接するねじりバネ２３ａを介して、常に、自由端部３１を対象物１０側に押し当てようとする方向に応力を受けている。この構造により、回転軸Ｑ３を介して、アーム部２９に回転可能に取り付けられ、かつ、摺動溝２５上を移動可能な可動部２２を角Ｒ１３側に移動させるように作用する。つまり、可動部２２の一端部２６が角Ｒ１３の円周面１４に常に押し当てられるように成っている。
【００３９】
なお、ねじりバネ２３に替えて、第１実施例のように、摺動溝２５の端部にバネ部材２３を設けてもよい。
【００４０】
この実施例もまた、角Ｒ１３の半径Ｒの大きさにより、可動部２２が摺動溝２５内を移動することとなる。つまり、可動部２２の摺動溝２５内での位置と、角Ｒ１３の半径Ｒの大きさとの関係をメモリ部２４に反映させれば、角Ｒ１３の半径Ｒの大きさを簡単に測定することができる。
【００４１】
この実施例では、可動部２２が一端を固定軸部３０で固定されたアーム部２９に回転可能に取り付けられている。したがって、可動部２２が摺動溝２５内を移動すると自由端部３１が移動することとなる。
【００４２】
ここで、対象物１０の角Ｒ１３は小さな寸法で形成されており、その測定は細かなものとなる。したがって、可動部２２の移動量を、そのままの大きさでメモリ部２４に反映させると、メモリ部２４のメモリ寸法も小さなものとなり、認識しずらいものとなる。
【００４３】
しかし、この実施例に係るＲゲージ２は、一端を固定軸部３０に回転可能に固定されるアーム部２９を採用することで、可動部２２の移動量を拡大してメモリ部２４に反映させることができる。即ち、アーム部２９は固定軸部３０に回転可能に固定されているので、固定軸部３０から回転軸Ｑの距離（半径）Ｌ１より、固定軸部３０から自由端部３１までの距離（半径）Ｌ２が大きい。即ち、内周にある可動部２２の移動量は、距離（半径）Ｌ１とＬ２の長さの違いが拡大されて、外周にある自由端部３１の移動量に反映することとなる。このため、角Ｒ１３が小さな寸法であってもメモリ部２４では拡大して視認できるので、精度や視認性を向上することができる。
【００４４】
ところで、アーム部２９に回転可能に固定される可動部２２は、本来なら、その移動軌跡が固定軸部３０を中心とする円弧状となる。したがって、円弧状の軌跡を移動する可動部２２を、直線的な摺動溝２５に沿って移動させることができない課題がある。
【００４５】
そこで、この実施例では、摺動溝２５の横幅を可動部２２の横幅より大きな寸法ｄとする隙間３２を設けている。これにより、摺動溝２５を移動する可動部２２が適度に傾いて移動することとなるので、前記課題を解決することができる。
【００４６】
一方、摺動溝２５を移動する可動部２２が摺動溝２５上を傾きながら（ガタついて）移動すると精度上の課題が懸念される。しかし、（ｂ）図に示すように、角Ｒ１３は、第１実施例でも説明したように、１／４円弧の円周面１４が露出している。そして、この円周面１４に、ねじりバネ２３を介して、押し当てられる可動部２２の一端部２６は直線で形成されるため、直線で構成される一端部２６は角Ｒ１３半径の延長線に対して直角に成るように作用する。したがって、前記精度上の課題を解決することができる。
【００４７】
このように、この実施例では、簡単な構造で高い精度の計測が可能である。もちろん、摺動溝２５を円弧状に形成しても良い。
【００４８】
また、メモリ部２４が配置される筺体形状は、アーム部２９の自由端部３１が常に露出するように、固定軸部３０を中心とする自由端部３１の円弧軌跡に合わせて円弧形状に形成されている。
【００４９】
次に、図３を参照して、Ｒゲージ２の部品構成を説明する。図３において、この実施例に係るＲゲージ２は、板状の４枚の筺体構成部材と、ロック機構２８を構成する薄い円板部材３２と、ねじりバネ２３ａと、アーム部２９と、可動部２２とを含んで構成される。ここで、破線枠内に図示された円板部材３２とアーム部２９と可動部２２は、上部に上面図、下部に正面図を図示している。
【００５０】
図において、この実施例に係るＲゲージ２は、第１筺体構成部材３３と第４筺体構成部材３６の間に第２筺体構成部材３４と第３筺体構成部材３５を配置した積層構造を採用し、この板状の４枚の筺体構成部材をネジ３７で固定した構造としている。
【００５１】
ここで、第１筺体構成部材３３がＲゲージ２の正面を構成し、第４筺体構成部材３６がＲゲージ２の裏面を構成する。組み立てに当たっては、先ず、第４筺体構成部材３６に形成される開口部４２に円板部材３２を取り付ける。この開口部４２は摺動溝２５上に形成されるものであり、この開口部４２に円板部材３２を取り付けることにより、ロック機構２８を構成する。この構造によれば、円板部材３２を押す操作により、摺動溝２５上にある可動部２２を固定することができる。
【００５２】
次に、第３筺体構成部材３５を積層させると摺動溝２５が形成される。この第３筺体構成部材３５には、固定軸部３０を形成する突起３０ａと、ねじりバネ２３ａを取り付けるための突起２３ｂが設けられている。
【００５３】
一方、アーム部２９には、突起３０ａに回転可能に連結されて固定軸部３０を構成する回転軸穴部３０ｂと、回転軸Ｑ３を構成する回転軸穴部３８が所定の位置に形成され、自由端部３１側は細く形成される。
【００５４】
また、可動部２２は、円周側と外周側の上面が隆起して、その間が凹状に形成され、この凹部３９に回転軸穴部３８と連結して回転軸Ｑ３を構成する突起４０が形成される。ここで、凹部３９の大きさは、この可動部２２の移動に伴うアーム部２９の可動範囲を考慮して決定する。
【００５５】
さて、第４筺体構成部材３６に第３筺体構成部材３５を積層した状態で、可動部２２とアーム部２９とねじりバネ２３ａとを取り付け、その上に、第２筺体構成部材３４を積層する。第２筺体構成部材３４は、本体部材３４ａと第２固定部２１の先端部材３４ｂとで構成される。この実施例では先端部材３４ｂを接着剤で固定する。また、第２筺体構成部材３４は、本体部材３４ａと先端部材３４ｂとでアーム部２９と可動部２２の動作空間４１を構成する。
【００５６】
そして、最後に、第２筺体構成部材３４に第１筺体構成部材３３を積層して、第１筺体構成部材３３と第４筺体構成部材３６とをネジ３７で固定する。
【００５７】
なお、前記説明では、４枚で薄い筺体構成部材でＲゲージ２の本体を構成することで説明したが、これに限定されるものではない。例えば、第１筺体構成部材３３と第２筺体構成部材３４とで１つの成型品を構成し、第３筺体構成部材３５と第４筺体構成部材３６とで１つの成型品を構成し、この２つの成型品を組み合わせて形成することでもよい。この構造によれば、樹脂材料により成型がしやすく、かつ組立性も向上することができる。
【００５８】
次に、図４を参照して、Ｒゲージ２の外観形状を説明する。ここで、図４の（ａ）図は平面図、（ｂ）図は左側面図、（ｃ）図は正面図、（ｄ）図は右側面図、（ｅ）図は底面図、（ｆ）図は背面図を示している。
【００５９】
図において、前記したように、このＲゲージ２はＬ型の基本造形と成っている。
即ち、対象物１０の２つの面１１、１２と接する第１固定部２０と第２固定部２１とが略直角を成すように形成される。この実施例では、第２固定部２１側にメモリ部２４を設けているので、メモリ部２４を備えた右側面側が円弧形状に形成されている。この図４ではメモリ部２４のメモリは省略している。また、Ｌ型の外側の角部は、機能に関係がないため、面取りした傾斜面となっている。
【００６０】
なお、この実施例では、正面図の横幅を５５ｍｍの大きさで形成している。そして、この大きさの実施例によれば、角Ｒ１３の半径Ｒが０ｍｍから１０ｍｍの大きさまで計測することができる。
【００６１】
なお、図３で説明したように、第１筺体構成部材３３と第２筺体構成部材３４、第３筺体構成部材３５と第４筺体構成部材３６をそれぞれ樹脂材料で形成するようにしてもよい。この構造であれば、第１筺体構成部材３３と第２筺体構成部材３４及び第３筺体構成部材３５と第４筺体構成部材３６の分割線をない外観となる。
【００６２】
図５において、前記の説明では、第１固定部２０と第２固定部２１とで略直角を成すように形成していると説明したが、必ずしも、第１固定部２０と第２固定部２１とで直角を成すようにしなくとも良い。
【００６３】
即ち、身の回りにある家具や電化製品などの対象物１０は、樹脂材料で形成されたものが多い。このような成型品は、製造工程上、抜きテーパｄ１を設けて形成される。つまり、図５に示すように、対象物１０の２つの面１１、１２は９０度より大きな角度で形成される。
【００６４】
このような抜きテーパｄ１を備えた対象物１０を、第１固定部２０と第２固定部２１とで形成する角度Θが９０度のＲゲージ２で計測しようとすると、可動部２２の一端部２６を角Ｒ１３の円周面１４に接することができない。
【００６５】
そこで、この実施例では、第１固定部２０と第２固定部２１とで構成する角度Θを５度程度大きく形成している。この大きさであれば、直角を主眼に製造上の抜きテーパｄ１を備えた対象物１０に対応することができる。
【００６６】
このように、この実施例に係るＲゲージ２によれば、図１の第１実施例と同様に、親指とひとさし指でＲゲージ２の両側面を保持して対象物１０の角Ｒ１３に押し当てることができる。これにより、ねじりバネ２３ａの作用により摺動溝２５から張り出していた可動部２２が角Ｒ１３により押し込まれる。そして、可動部２２が移動すると、この可動部２２に連結されているアーム部２９が固定軸部３０を中心に回転する。この結果、アーム部２９の自由端部３１も移動することとなる。
【００６７】
この状態で、ロック機構２８の円板部材３２を操作（押下）すると可動部２２が固定され、この可動部２２に連結しているアーム部２９も固定される。そして、この固定状態で、Ｒゲージ２をメモリ部２４が見やすい位置に持っていけば、自由端部３１が位置するメモリ部２４のメモリを簡単に確認することができる。
【００６８】
このように、この第２実施例に係るＲゲージ２もまた、シンプルな構造で、角Ｒ（角面取り寸法）が測定できるツールであり、家具などの仕上げ作業の目安やケガ予防のチェックなどに活用することができる。
【実施例３】
【００６９】
次に、図６を参照して、第３実施例に係るＲゲージを具体的に説明する。図６は、第３実施例に係るＲゲージの構造概念図である。
【００７０】
図６において、符号３で示すＲゲージは、リンク機構５０を介して可動部２２を角Ｒ１３の円周面１４に押し当てる構造を備えたものである。即ち、この実施例のリンク機構５０は、平行に配置される一対のアーム部５１（第１アーム５２と第２アーム５３）と、この一対のアーム部５１に連結される可動部２２とから構成される。
【００７１】
第１アーム５２は、その長手方向の一端を、固定軸部５４ａを介して、Ｒゲージ３の筺体に回転可能に連結し、他の一端を、回転軸５５ａを介して、可動部２２に回転可能に連結されている。一方、第２アーム５３は、第１アーム５２より長く形成している。そして、第２アーム５３は、その長手方向の一端を、固定軸部５４ｂを介して、Ｒゲージ３の筺体に回転可能に連結し、他の一端を自由端部３１とし、この自由端部３１と固定軸部５４ｂとの間に設けた回転軸５５ｂを介して、可動部２２に回転可能に連結している。
【００７２】
ここで、第１アーム５２と第２アーム５３の長手方向が平行な姿勢となるように、固定軸部５４ａと固定軸部５４ｂの長さＺ１と、回転軸５５ａと回転軸５５ｂの長さＺ２とを同じ長さに設定し、かつ、固定軸部５４ａと回転軸５５ａの長さＺ３と、固定軸部５４ｂと回転軸５５ｂの長さＺ４とを同じ長さとする、平行リンク機構としている。
【００７３】
この構造によれば、Ｒゲージ３を対象物１０に押し当てたときに、角Ｒ１３の半径Ｒに対応して可動部２２を移動（出没）させることができる。これにより、前記第１と第２実施例と同様な作用効果を得ることができる。また、第２アーム５３の自由端部３１をメモリ部２４から露出させる構造とすることにより、前記第２実施例と同様な作用効果を得ることができる。
【００７４】
なお、この実施例も、図示しないバネ部材２３またはねじりバネ２３ａを備えるようにしている。加えて、前記したリンク機構５０以外は、前記第１、第２実施例と同様な構造を備えている。
【実施例４】
【００７５】
次に、図７を参照して、第４実施例に係るＲゲージを具体的に説明する。図７は、第４実施例に係るＲゲージの構造概念図である。  
図７において、符号４で示すＲゲージは、角Ｒ１３の円周面１４に対してアーム部２９を直接押し当てる構造を備えたものである。この実施例では、アーム部２９の一端が固定軸部３０を介して回転可能に固定され、他端の自由端部３１がメモリ部２４に接している。そして、この実施例では、ねじりバネ２３ａを介してアーム部２９の辺部が直接的に角Ｒ１３の円周面１４に常に押し当てる構造としている。
【００７６】
この実施例によれば、図２の（ｂ）図に示すように、角Ｒ１３は、１／４円弧の円周面１４が露出している。そして、この円周面１４に、ねじりバネ２３を介して、押し当てられるアーム部２９の辺部は直線で形成されるため、この辺部は角Ｒ１３の半径Ｒの延長線に対して直角に成るように作用する。したがって、このアーム部２９の自由端部３１が示すメモリ分２４のメモリを確認することで、角Ｒ１３の半径Ｒを計測することができる。
【００７７】
なお、前記したアーム部を用いるものに合っては、固定軸部と可動部２２の回転軸との長さ、あるいは、可動部の移動範囲が異なるＲゲージを複数個用意することで。小Ｒ用、大Ｒ用を作ることができる（セット変更もできる）。また、アーム部は直線でなくても途中で曲がっていても良い。
【符号の説明】
【００７８】
１〜４…Ｒゲージ、１０…対象物、１１、１２…２つの面、１３…角Ｒ、１４…円周面、２０…第１固定部、２１…第２固定部、２２…可動部、２３…バネ部材、２３ａ…ねじりバネ、２３ｂ…突起、２４…メモリ部、２５…摺動溝、２６…可動部の一端部、２７…計測針部、２８…ロック機構、２９…アーム部、３０…固定軸部、３０ａ…突起、３０ｂ…回転軸穴部、３１…自由端部、３２…円板部材、３３…第１筺体構成部材、３４…第２筺体構成部材、３４ａ…本体部材、３４ｂ…先端部材、３５…第３筺体構成部材、３６…第４筺体構成部材、３７…ネジ、３８…回転軸穴部、３９…凹部、４０…突起、４１…動作空間、４２…開口部、５０…リンク機構、５１…一対のアーム部、５２…第１アー…ム、５３…第２アーム、５４ａ…固定軸部、５４ｂ…固定軸部、５５ａ…回転軸、５５ｂ…回転軸、Ｐ１…径方向、Ｐ２…アーム部の長手方向、Ｑ１…角部、Ｑ２…中心点、Ｑ３…回転軸、Ｌ１…距離、ｄ１…抜きテーパ、Θ…角度、
【図１】
2011075350.tif 000003
【図２】
2011075350.tif 000004
【図３】
2011075350.tif 000005
【図４】
2011075350.tif 000006
【図５】
2011075350.tif 000007
【図６】
2011075350.tif 000008
【図７】
2011075350.tif 000009